(57)【特許請求の範囲】
【請求項１】
光源としてのランプを内蔵し、回転楕円面形状又は回転放物面形状の反射面とされた反射部を内面に備え、前記反射部の一部を切り欠く平面部を上下に備えたリフレクタを有する光源装置であって、平面部の内面には、前記反射部の半径とは異なる半径の補助反射面を備え、
前記補助反射面は、前記反射部と同じ回転楕円面形状又は回転放物面形状で、前記補助反射面の焦点は、前記反射部の焦点に合わせており、
前記リフレクタは、前記反射部の中心軸を通り且つ前記平面部と平行な平面で上下に二等分されて各々前記平面部を備えた第一リフレクタと第二リフレクタにより構成され、
前記リフレクタは、前記反射部及び平面部の前方に円形中空部を備えたレンズ保持部を有し、
前記レンズ保持部は、円形中空部を備えた略直方体形状であって、上面及び下面を前記平面部によって形成され、前記円形中空部はその前端に光源レンズが配置されるレンズ載置穴及びレンズ載置穴の後端周縁から内側に突出するレンズ当て部を備えることを特徴とする光源装置。
【請求項２】
前記レンズ保持部に光源レンズを挿入固定していることを特徴とする請求項１に記載の光源装置。
【請求項３】
前記レンズ保持部は、所定の側面の後端中央にして第一リフレクタ及び又は第二リフレクタの合わせ面位置に前記光源のリード線が貫挿する貫挿穴を備えることを特徴とする請求項１又は請求項２に記載の光源装置。
【請求項４】
前記リフレクタは、前記反射部の後方に光源保持部を備えることを特徴とする請求項１乃至請求項３のいずれかに記載の光源装置。
【請求項５】
前記光源保持部は、前記反射部の後端の開口を延設するように形成され、光源を固着材で固定する固着材注入部を備えることを特徴とする請求項４に記載の光源装置。
【請求項６】
前記リフレクタは、前記第一リフレクタと第二リフレクタの境界部分に、固着材塗布溝を備えることを特徴とする請求項１乃至請求項５のいずれかに記載の光源装置。
【請求項７】
前記光源レンズは、前記レンズ載置穴に載置され、前記レンズ当て部とレンズ固定板により挟持されていることを特徴とする請求項１乃至請求項６のいずれかに記載の光源装置。
【請求項８】
光源装置と、光源側光学系と、表示素子と、投影側光学系と、冷却ファンとを備え、プロジェクタ制御手段を有し、
前記光源装置は、請求項１乃至請求項７のいずれかに記載の光源装置であることを特徴とするプロジェクタ。

【発明の詳細な説明】
【技術分野】
【０００１】
本発明は、光源装置及び当該光源装置を備えたプロジェクタに関する。
【背景技術】
【０００２】
今日、パーソナルコンピュータの画面やビデオ画像、メモリカード等に記憶されている画像データによる画像等をスクリーンに投影する画像投影装置としてのデータプロジェクタが多用されている。
【０００３】
このようなデータプロジェクタ等のプロジェクタは、メタルハイランドランプや超高圧水銀ランプ等の小型高輝度の光源装置を内蔵し、この光源から射出された光をＤＭＤと呼ばれるマイクロミラー表示素子、又は、液晶板に集光させ、スクリーン状にカラー画像を表示させるものである。
【０００４】
近年、プロジェクタは小型化及び薄型化されており、プロジェクタ筐体の小型化及び薄型化に応じて光源装置の小型化及び薄型化も進んでいる。光源装置を小型化する方法としては、小型の放電ランプ及びリフレクタを用いて光源装置を形成する方法がある。又、光源装置を薄型化する方法としては、回転楕円面形状或いは回転放物線面形状とするリフレクタの上下端部近傍を平面形状に切り欠いて使用する方法がある。
【０００５】
しかし、リフレクタの上下端部近傍を平面形状に切り欠いて使用した場合には輝度及び光量の不足が生じるといった問題点がある。輝度及び光量を上げるため、例えば、特開２００４−３６３０１９号公報（特許文献１）では、リフレクタを第一リフレクタ及び第二リフレクタの二つの部材から構成する提案がなされている。この提案では、回転楕円面形状或いは回転放物面形状であって耐熱ガラスで形成された第一リフレクタの後端の開口部分に光学ガラスで形成された第二リフレクタを配置することによって、光源装置の性能に大きく影響する反射面の中心部の反射量を上げることができる。
【特許文献１】特開２００４−３６３０１９号公報
【発明の開示】
【発明が解決しようとする課題】
【０００６】
上述したように小型又は薄型の光源装置の輝度及び光量を上げることで光源装置の利用効率を高める提案は多々なされているが、小型又は薄型と、光源装置の輝度及び光量を上げることの両立は、困難であった。
【０００７】
本発明は、このような従来技術の問題点に鑑みてなされたものであり、薄型にして輝度及び光量を確保できるリフレクタを有する光源装置と、この光源装置を備えたプロジェクタを提供することを目的としている。
【課題を解決するための手段】
【０００８】
本発明の光源装置は、光源としてのランプを内蔵し、回転楕円面形状又は回転放物面形状の反射面とされた反射部を内面に備え、前記反射部の一部を切り欠く平面部を上下に備えたリフレクタを有する光源装置であって、平面部の内面には、前記反射部の半径とは異なる半径の補助反射面を備え、前記補助反射面は、前記反射部と同じ回転楕円面形状又は回転放物面形状で、前記補助反射面の焦点は、前記反射部の焦点に合わせており、前記リフレクタは、前記反射部の中心軸を通り且つ前記平面部と平行な平面で上下に二等分されて各々前記平面部を備えた第一リフレクタと第二リフレクタにより構成され、前記リフレクタは、前記反射部及び平面部の前方に円形中空部を備えたレンズ保持部を有し、前記レンズ保持部は、円形中空部を備えた略直方体形状であって、上面及び下面を前記平面部によって形成され、前記円形中空部はその前端に光源レンズが配置されるレンズ載置穴及びレンズ載置穴の後端周縁から内側に突出するレンズ当て部を備えるものである。
【００１１】
又、前記レンズ保持部に光源レンズを挿入固定しているものである。
【００１３】
又、前記レンズ保持部は、所定の側面の後端中央にして第一リフレクタ及び又は第二リフレクタの合わせ面位置に前記光源のリード線が貫挿する貫挿穴を備えるものである。
【００１４】
更に、前記リフレクタは、前記反射部の後方に光源保持部を備えるものである。
【００１５】
そして、前記光源保持部は、前記反射部の後端の開口を延設するように形成され、光源を固着材で固定する固着材注入部を備えるものである。
【００１６】
又、前記リフレクタは、前記第一リフレクタと第二リフレクタの境界部分に、固着材塗布溝を備えるものである。
【００１７】
更に、前記光源レンズは、前記レンズ載置穴に載置され、前記レンズ当て部とレンズ固定板により挟持されているものである。
【００１８】
そして、本発明のプロジェクタは、上述の光源装置と、光源側光学系と、表示素子と、投影側光学系と、冷却ファンとを備え、プロジェクタ制御手段を有するものである。
【発明の効果】
【００１９】
本発明によれば、薄型にして輝度及び光量を確保した光源装置と、この光源装置を備えたプロジェクタを提供することができる。
【発明を実施するための最良の形態】
【００２０】
本発明を実施するための最良の形態のプロジェクタ10は、光源装置60と、光源側光学系80と、表示素子51と、投影側光学系90と、冷却ファンとを備え、プロジェクタ制御手段により制御されるものである。
【００２１】
そして、光源装置60は、光源61と、リフレクタ62と、光源レンズ63とを備え、リフレクタ62は、中心軸を通る平面で上下方向に二等分されて上方に位置する第一リフレクタ68と下方に位置する第二リフレクタ69とを備え、第一リフレクタ68と第二リフレクタ69とは略対称形状であって夫々が別個の金型によって成形され、リフレクタ62は、第一リフレクタ68と第二リフレクタ69の縁部を貼り合わせることで形成されているものである。
【００２２】
又、リフレクタ62は、回転楕円面形状或いは回転放物面形状であって内面を反射面とする反射部64と、反射部64の上下を切り欠くように形成された反射部64の上下端部に位置する平面部65と、反射部64の前端に位置し反射部64及び平面部65の前方に円形中空部を備えたレンズ保持部66と、反射部64の後端に位置する光源保持部67とを備えるものである。
【００２３】
更に、上下の平面部65は略平行とし、その内面には、反射部64の焦点に合わせた焦点を有する曲率半径の大きな回転楕円面形状或いは回転放物面形状の補助反射面65aを備え、レンズ保持部66は、円形中空部を備えて上面及び下面を平面部65によって形成され、前端には光源レンズ63が配置されるレンズ載置穴66d及びレンズ載置穴66dの後端周縁から内側に突出するレンズ当て部66eを備え、所定の側面の後端中央近傍に光源61のリード線61eが貫挿する貫挿穴66cを第一リフレクタ68と第二リフレクタ69との合わせ面に備えるものであり、光源保持部67は、反射部64の後端の開口を延設するように形成され、光源61を固着材で固定する固着材注入部67aを備えるものである。
【００２４】
又、リフレクタ62は、第一リフレクタ68と第二リフレクタ69の境界部分に、第一リフレクタ68と第二リフレクタ69を接着固定する場合に固着材を塗布するための固着材塗布溝64aを備えるものである。
【００２５】
そして、光源レンズ63は、レンズ載置穴66dに載置され、レンズ当て部66eとレンズ固定板70により挟持されているものである。
【実施例】
【００２６】
以下、本発明の実施例を図に基づいて詳説する。本発明の一つの実施例に係るプロジェクタ10は、図１に示すように、略直方体形状であって、本体ケースの前方のパネルとされる前面パネル12の側方に投影口を覆うレンズカバー19を有すると共に、この前面パネル12には複数の排気孔17を設けている。更に、図示しないがリモートコントローラからの制御信号を受信するＩｒ受信部を備えている。
【００２７】
又、本体ケースである上面パネル11にはキー／インジケータ部37を設けるものであり、このキー／インジケータ部37には、電源スイッチキーや電源のオン又はオフを報知するパワーインジケータ、光源装置のランプを点灯させるランプスイッチキー及びランプの点灯を表示するランプインジケータ、光源装置等が過熱したときに報知をする過熱インジケータ等のキーやインジケータを設けるものである。
【００２８】
更に、本体ケースの背面には、背面パネルにＵＳＢ端子や画像信号入力用のＤ−ＳＵＢ端子、Ｓ端子、ＲＣＡ端子等を設ける入出力コネクタ部及び電源アダプタプラグ等の各種端子20を設けているものである。
【００２９】
尚、図示しない本体ケースの側パネルである右側パネル、及び、図１に示した側パネルである左側パネル15の下部近傍には、各々複数の吸気孔18を設けているものである。
【００３０】
そして、このプロジェクタ10の制御回路は、図２に示すように、制御部38、入出力インターフェース22、画像変換部23、表示エンコーダ24、表示駆動部26等を有するものであって、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に送られるものである。
【００３１】
又、表示エンコーダ24は、送られてきた画像信号をビデオＲＡＭ25に展開記憶させた上でこのビデオＲＡＭ25の記憶内容からビデオ信号を生成して表示駆動部26に出力するものである。
【００３２】
そして、表示エンコーダ24からビデオ信号が入力される表示駆動部26は、送られてくる画像信号に対応して適宜フレームレートで空間的光変調素子（ＳＯＭ）である表示素子51を駆動するものであり、光源装置60から射出された光線束を光源側光学系を介して表示素子51に入射することにより、表示素子51の反射光で光像を形成し、投影側光学系とする投影系レンズ群を介して図示しないスクリーンに画像を投影表示するものであり、この投影側光学系の可動レンズ群97は、レンズモータ45によりズーム調整やフォーカス調整のための駆動が行われるものである。
【００３３】
又、画像圧縮伸長部31は、画像信号の輝度信号及び色差信号をＡＤＴＣ及びハフマン符号化等の処理によりデータ圧縮して着脱自在な記録媒体とされるメモリカード32に順次書き込む記録処理や、再生モード時はメモリカード32に記録された画像データを読み出し、一連の動画を構成する個々の画像データを1フレーム単位で伸長して画像変換部23を介して表示エンコーダ24に送り、メモリカード32に記憶された画像データに基づいて動画等の表示を可能とするものである。
【００３４】
そして、制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００３５】
又、本体ケースの上面パネル11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に送られるものである。
【００３６】
尚、制御部38にはシステムバス（ＳＢ）を介して音声処理部47が接続されており、音声処理部47はＰＣＭ音源等の音源回路を備え、投影モード及び再生モード時には音声データをアナログ化し、スピーカ48を駆動して拡声放音させることができるものである。
【００３７】
又、この制御部38は、電源制御回路41を制御するものであり、ランプスイッチキーが操作されると電源制御回路41により光源装置の放電ランプを点灯させ、更に、冷却ファン駆動制御回路43には、光源装置等に設けた複数の温度センサによる温度検出を行わせて、冷却ファンの回転速度を制御させ、又、タイマー等により光源装置のランプ消灯後も冷却ファンの回転を持続させるものであり、更に、温度センサによる温度検出の結果によっては光源装置を停止してプロジェクタ本体の電源をＯＦＦにする等の制御も行うものである。
【００３８】
そして、これらのＲＯＭ、ＲＡＭ、ＩＣや回路素子は、図３に示す主制御基板としての制御回路基板103に取付けられたものであり、電力系の電源制御回路41はランプ電源回路ブロック101に組み込まれ、制御系の主制御基板とした制御回路基板103と電力系のランプ電源回路ブロック101等が取付けられる電源制御回路基板102とを分けて形成しているものである。
【００３９】
このプロジェクタ10の内部構造は、図３に示したように、ランプ電源回路ブロック101等を取付けた電源制御回路基板102が右側パネル14の近傍に配置され、各種の光学系を備える光学系ユニット75が左側パネル15と平行に配置され、筐体内を区画用隔壁120により背面パネル13側の吸気側空間室121と前面パネル12側の排気側空間室122とに気密に区画されている。又、冷却ファンとするシロッコファンタイプのブロア110が、吸込み口111が吸気側空間室121に位置し、排気側空間室122と吸気側空間室121の境界に吐出口113が位置するように配置されているものである。
【００４０】
そして、排気側空間室122内には、光源装置60と、光源装置60からの射出光をカラーホイール83に反射する第一反射ミラー82と、赤色光、緑色光、青色光とするカラーフィルタを周囲に設けてホイールモータ84により回転されるカラーホイール83と、冷却フィンとヒートパイプで形成された排気温低減装置114とが配置されているものである。
【００４１】
この光源装置60は、図４に示すように、放電ランプ等の光源61と、光源61からの射出光を焦点に集光するリフレクタ62と、リフレクタ62によって集光された光が透過する光源レンズ63とを備え、光源レンズ63はレンズ固定板70によってリフレクタ62に固定されているものである
【００４２】
この光源61は、ハロゲンランプ等の放電ランプであって、図５に示すように、球形状の発光部61aと、発光部61aの外面の対称の位置であって発光部61aの中心を通る同軸上に取り付けられた２つの封止部である第一封止部61b及び第二封止部61cとを備えるものである。又、第一封止部61bの端部には電極となるランプ口金61dが固定され、このランプ口金61dにはリード線61eが溶接され、このリード線61eの他端はランプ電源回路に接続されているものである。
【００４３】
リフレクタ62は、図６に示すように、回転楕円面形状又は回転放物面形状の反射部64と、反射部64の上下端部の一部を切り欠くように形成された反射部64の上下に位置する平面部65と、反射部64の前端に位置するレンズ保持部66と、反射部64の後端に位置する光源保持部67とを備えるものである。
【００４４】
反射部64は、内壁を鏡面加工されて反射面とし、光源61からの射出光を反射面で反射して焦点に集光するものであり、前端を広開口、後端を挟開口とし、上端及び下端に平面部65が形成され、広開口の両側端部にはつば部64bが側方に突出して形成されているものである。又、反射部64及び光源保持部67の右側中心部である、後述の第一リフレクタ68と第二リフレクタ69の境界部分に、第一リフレクタと第二リフレクタを接着固定する場合に固着材を塗布する固着材塗布溝64aを備えるものである。
【００４５】
又、平面部65は、図７に示すように、反射部64の上下端部を切り欠くように反射部64の上下端部からリフレクタ62の前端まで形成されており、内壁の反射部64の前端近傍には補助反射面65aが形成されている。この補助反射面65aは、曲率半径の大きな回転楕円面形状或いは回転放物面形状とされており、光源61から射出され平面部65に照射される光線束を反射部64の焦点に合わせた焦点に集光するものである。又、平面部65の前端近傍はレンズ保持部66の上面及び下面とされているものである。
【００４６】
このレンズ保持部66は、図５及び図６に示したように、内空の略直方体形状であって反射部64の前端に位置するつば部64bと接続しており、上面及び底面は平面部65によって形成され、反射部64及び平面部65の前方に円形中空部を備えている。又、レンズ保持部66の両側面には縦長で長方形状の冷却開口66aを備え、右側面の冷却開口66aの中央後端には導風穴66bを備え、左側面の後端中央にして第一リフレクタ68及び又は第二リフレクタ69の合わせ面位置に貫挿穴66cを備え、円形中空部の前端にはレンズ載置穴66dや、レンズ当て部66eを備えるものである。
【００４７】
そして、冷却開口66aは、光源61を冷却するための冷却風が流入又は排出される開口であり、大量の冷却風をリフレクタ62内に取り込めるよう側面に形成されている。又、導風穴66bは、内壁から外壁に向かって末広がりの回転面形状であり、リフレクタ62内から排出される排気風が一点に集中して排気されるのではなく、排気が広がるように形成されているものである。更に、貫挿穴66cは、光源61のリード線61eを外部に逃すための穴である。
【００４８】
レンズ載置穴66dは、光源レンズ63の外周縁の大きさよりも僅かに大きな円形に形成されており、レンズ当て部66eは、レンズ載置穴66dの後端周縁から内側に突出して形成されている。そして、光源レンズ63をレンズ載置穴66dに挿入し、レンズ当て部66eに押し当てることによって光源レンズ63の位置が決められるものである。
【００４９】
又、光源保持部67は、光源61を保持するものであり、反射部64の後端の挟開口を後方に延設するように形成されている。又、光源61の第二封止部61cを固着材で固定する時に固着材を注入する固着材注入部67aと、光源61の第二封止部61cを係止する後端係止部67bとを備えるものである。この固着材注入部67aは、反射部64の後端近傍に位置しており、後端係止部67bは、固着材注入部67aの後端近傍に位置している。
【００５０】
そして、リフレクタ62は、反射部64の中心軸を通り且つ平面部65と平行な平面で上下方向に二等分されて、上方に位置する第一リフレクタ68と下方に位置する第二リフレクタ69により形成されているものである。この第一リフレクタ68と第二リフレクタ69は、各々が平面部65を備え且つ各々が別個の金型により成形されるものであり、リフレクタ62は、第一リフレクタ68と第二リフレクタ69の縁部を貼着することによって形成されているものである。
【００５１】
レンズ固定板70は、図４に示したように、光源レンズ63をレンズ保持部66に固定するものであり、前面板71と、前面板71の両側から後方に延設された側面板72とを備えるものである。又、レンズ固定板70の前面板71には光源レンズ63が位置する円形のレンズ開口71aを備え、側面板72は冷却開口66aと同形状の側面開口72aを備え、側面板72の後端には反射部64のつば部64bと係止する係止部72bが形成されているものである。
【００５２】
そして、レンズ固定板70は、レンズ開口71aの縁で光源レンズ63の前端外周縁近傍を係止し、光源レンズ63をレンズ当て部66eに押しつけた状態で側面板72をレンズ保持部66の側面に嵌合することにより光源レンズ63を固定するものである。又、レンズ固定板70をレンズ保持部66の側面に嵌合した状態の場合、側面開口72aは冷却開口66aと重なり合い、係止部72bはつば部64bと係止している。
【００５３】
光源レンズ63は、リフレクタ62により焦点に集光する光線束を後述の導光装置85の入射面に集光する集光レンズとしての機能する共に、光源61の爆発による破片が周囲に飛び散ることを防止する防爆ガラスとして機能するものである。そして、光源レンズ63は、レンズ保持部66のレンズ載置穴66dに載置され、レンズ当て部66eとレンズ固定板70とに挟持されるものである。
【００５４】
光源装置60の組立方法について述べる。図８に示すように、まず光源61を第二リフレクタ69上に載置して、発光部61aが反射部64の後端近傍に位置し、且つ、光源61の第二封止部61cが第二リフレクタ69の光源保持部67に位置するように調整する。そして、リード線61eを貫挿穴66cより外部に逃がす。
【００５５】
次に、図９に示すように、光源レンズ63の裏面がレンズ当て部66eに近接するようにレンズ載置穴66dに光源レンズ63を載置し、その後、図４に示したように、第一リフレクタ68を第二リフレクタ69の上方から縁部が重なり合うように被せる。
【００５６】
更に、光源61の位置を調整した後、光源保持部67の後端係止部67bから固着材注入部67aに固着材を注入し、光源61を固定する。その後、前方からレンズ固定板70をリフレクタ62に装着して光源レンズ63を前方からレンズ当て部66eに押しつけて挟持し、最後に固着材塗布溝64aに固着材を塗布して第一リフレクタ68と第二リフレクタ69を貼着するものである。
【００５７】
そして、光学系ユニット75は、図３に示したように、光源装置60の近傍に位置する照明側ブロック76と、画像生成ブロック77と、投影側ブロック78との３つのブロックから構成され、左側パネル15に沿って配置されているものである。
【００５８】
この照明側ブロック76は、光源装置60から射出されカラーホイール83によって着色された光を画像生成ブロック77が備える表示素子51に導光する光源側光学系80の一部を備えるものである。この照明側ブロック76が有する光源側光学系80としては、カラーホイール83のフィルタを透過した光を均一な強度分布の光束とする導光装置85や導光装置85を透過した光を集光する集光レンズ86等がある。
【００５９】
又、画像生成ブロック77は、導光装置85から射出された光の向きを変更する第二反射ミラー87と、この第二反射ミラー87により反射した光を表示素子51に集光させる複数枚のレンズで形成した光源側レンズ群88及び光源側レンズ群88を透過した光を表示素子51に所定の角度で照射する照射ミラー89等を光源側光学系80として有し、更に、表示素子51とするＤＭＤ（デジタル・マイクロミラー・デバイス）を備えている。尚、この表示素子51の背面パネル13側には表示素子51を冷却するための表示素子冷却装置53が配置され、表示素子51が高温となることを防止している。
【００６０】
そして、投影側ブロック78は、表示素子51で反射されて画像を形成する光をスクリーンに放出する投影側光学系90のレンズ群を有し、投影側光学系90としては、固定鏡筒に内蔵する固定レンズ群93と可動鏡筒に内蔵する可動レンズ群97とを備えてズーム機能を備えた可変焦点型レンズとしているものであり、レンズモータにより可動レンズ群97を移動させてズーム調整やフォーカス調整を可能としているものである。
【００６１】
次に、本発明のプロジェクタ10における冷却機構について述べる。ブロア110が回転を始めると吸込み口111に周縁の空気が吸込まれ、吸気孔18から外部の低温の空気が吸気側空間室121に流れ込む。吸気側空間室121に流れ込む空気は電源制御回路基板102や制御回路基板103、表示素子51等の吸気側空間室121に配置された機器を冷却してブロア110の吸込み口111に吸気される。
【００６２】
ブロア110の吸込み口111に吸込まれた吸気側空間室121内の空気は吐出口113から排気側空間室122に排出され、排気側空間室122に配置された光源装置60やカラーホイール83に吹き込む。この時、光源装置60の周縁に吹き込んだ排気は図４に示した冷却開口66aよりリフレクタ62の内部に流入し、光源61の周縁を通過してリフレクタ62の外部に排出される。そして、排気側空間室122に配置された機器を冷却した排気は排気温低減装置114を通過して温度を下げられて排気孔17より外部に排出されるものである。
【００６３】
本発明のプロジェクタ10によれば、上下に平面部65を備えるリフレクタ62を用いた薄型の光源装置60において、平面部65の内面に反射部64の半径とは異なる半径の補助反射面65aを形成することにより、従来の光源装置60では無駄となっていた平面部65に照射される光線束を有効光とすることができ、光源61からの射出光の利用効率が高くなるため、輝度及び光量の確保が実現できる。
【００６４】
又、リフレクタ62がレンズ保持部66を備えることにより、光源レンズ63又は防爆ガラス等を取付けるための部材を新たにリフレクタ62に取付けることなく光源レンズ63を挿入固定できるため、光源レンズ63等の取り付けが容易となり、光源装置60の製造にかかる時間の短縮化、簡易化が実現できる。
【００６５】
更に、本実施例に拠れば、リフレクタ62を反射部64の中心軸を通る平面で上下方向に二等分して、第一リフレクタ68と第二リフレクタ69により構成することにより、反射部64の半径とは異なる半径の補助反射面65aを別部材で形成してリフレクタ62に取り付けることなく、リフレクタ62と一体形成でき、複雑な形状のリフレクタを金型を用いて成形することができ、複雑な形状のリフレクタを容易に量産することができる。もちろん、第一リフレクタ68に対して第二リフレクタ69を別部材で構成することを排除するものではない。
【００６６】
そして、レンズ保持部66にレンズ載置穴66d及びレンズ当て部66eを形成することにより、光源レンズ63をレンズ載置穴66dに載置しレンズ当て部66eに押しつけることで光源レンズ63の位置決めをすることができるため、光源レンズ63の設置が容易となる。
【００６７】
又、レンズ保持部66の側面の後端中央にして第一リフレクタ68及び又は第二リフレクタ69の合わせ面位置にリード線61eが貫挿する貫挿穴66cを形成することにより、光源61をリフレクタ62に取付ける場合において、第一リフレクタ68と第二リフレクタ69を重ねる前にリード線61eを貫挿穴66cに位置させることにより、リード線61eを容易に外部に逃がすことができ、光源61をリフレクタ62に取付ける作業が容易になる。
【００６８】
更に、リフレクタ62が光源保持部67を備えることにより、光源61をリフレクタ62に取付けることが容易となるため、光源装置60の製造を迅速且つ安価に行なうことができる。
【００６９】
そして、光源保持部67に光源61を固着材で固定する固着材注入部67aを形成することにより、光源61を固着材で固定することが容易となるため、光源装置60の製造にかかる時間の短縮化、簡易化が実現できる。
【００７０】
又、第一リフレクタ68と第二リフレクタ69の境界部分に固着材塗布溝64aを形成することにより、第一リフレクタ68と第二リフレクタ69を容易に固定でき、リフレクタ62の製造が容易となる。
【００７１】
更に、光源レンズ63をレンズ固定板70で固定することにより、光源レンズ63を強固に固定できるため、光源61が爆発した場合に光源レンズ63が外れてしまうことがなく、又、光源レンズ63がズレることにより光軸がズレ、投影画像が不明瞭となるといったことも防止できる。
【００７２】
そして、このような光源装置60を用いてプロジェクタ10を製造することにより、容易且つ迅速にプロジェクタ10を製造できると共に、輝度が高く明瞭な画像を投影できるプロジェクタ10を提供できる。
【００７３】
又、本発明は、以上の実施例に限定されるものでなく、発明の要旨を逸脱しない範囲で自由に変更、改良が可能である。
【図面の簡単な説明】
【００７４】
【図１】本発明の実施例に係るプロジェクタの外観を示す斜視図。
【図２】本発明の実施例に係るプロジェクタの機能回路ブロックを示す図。
【図３】本発明の実施例に係るプロジェクタの上面パネルを取り除いた上面図。
【図４】本発明の実施例に係る光源装置の斜視図。
【図５】本発明の実施例に係る第二リフレクタの上面図。
【図６】本発明の実施例に係るリフレクタの斜視図。
【図７】本発明の実施例に係る光源装置の断面図。
【図８】本発明の実施例に係る第二リフレクタの光源を配置した場合を示す斜視図。
【図９】本発明の実施例に係る第二リフレクタの光源レンズを配置した場合を示す斜視図。
【符号の説明】
【００７５】
10  プロジェクタ                        11  上面パネル
12  前面パネル                          13  背面パネル
14  右側パネル                          15  左側パネル
17  排気孔                              18  吸気孔
19  レンズカバー                        20  各種端子
21  入出力コネクタ部                    22  入出力インターフェース
23  画像変換部                          24  表示エンコーダ
25  ビデオＲＡＭ                        26  表示駆動部
31  画像圧縮伸長部                      32  メモリカード
35  ＩＲ受信部                          36  ＩＲ処理部
37  キー／インジケータ部                38  制御部
41  電源制御回路                        43  冷却ファン駆動制御回路
45  レンズモータ                        47  音声処理部
48  スピーカ                            51  表示素子
53  表示素子冷却装置                    60  光源装置
61  光源                                61a  発光部
61b  第一封止部                         61c  第二封止部
61d  ランプ口金                         61e  リード線
62  リフレクタ
63  光源レンズ                          64  反射部
64a  固着材塗布溝                       64b  つば部
65  平面部                              65a  補助反射面
66  レンズ保持部                        66a  冷却開口
66b  導風穴                             66c  貫挿穴
66d  レンズ載置穴                       66e  レンズ当て部
67  光源保持部                          67a  固着材注入部
67b  後端係止部                         68  第一リフレクタ
69  第二リフレクタ                      70  レンズ固定板
71  前面板                              71a  レンズ開口
72  側面板                              72a  側面開口
72b  係止部                             75  光学系ユニット
76  照明側ブロック                      77  画像生成ブロック
78  投影側ブロック                      80  光源側光学系
82  第一反射ミラー                      83  カラーホイール
84  ホイールモータ                      85  導光装置
86  集光レンズ                          87  第二反射ミラー
88  光源側レンズ群                      89  照射ミラー
90  投影側光学系                        93  固定レンズ群
97  可動レンズ群                        101  ランプ電源回路ブロック
102  電源制御回路基板                   103  制御回路基板
110  ブロア                             111  吸込み口
113  吐出口                             114  排気温低減装置
120  区画用隔壁                         121  吸気側空間室
122  排気側空間室
【図１】
0005057146.tif 000002
【図２】
0005057146.tif 000003
【図３】
0005057146.tif 000004
【図４】
0005057146.tif 000005
【図５】
0005057146.tif 000006
【図６】
0005057146.tif 000007
【図７】
0005057146.tif 000008
【図８】
0005057146.tif 000009
【図９】
0005057146.tif 000010